(57)【要約】【課題】リチウムイオンもしくはアニオンを可逆的に担持可能な物質からなる正極と、電解質カチオンであるリチウムイオンの吸蔵・放出が可能な負極とが、間にセパレータを挟みながら順次積層されてなる電極体を備えたリチウムイオン吸蔵・放出型有機電解質蓄電池において、負極へのリチウムイオンの予備吸蔵を円滑かつ迅速に行わせることを可能にするとともに、生産工程にてリチウム金属を扱う頻度を低減させて生産性を高める。【解決手段】積層電極体２０に積層方向に抜ける貫通孔５２を形成し、この貫通孔５２に、負極電極にリチウムイオンを予備吸蔵させるためのリチウム金属４１を装填するとともに、このリチウム金属４１を積層電極体２０の最外層に配置された導電体２５に導電接続し、この導電体２５を介して上記リチウム金属４１を蓄電池の内部あるいは外部にて負極電極に導電接続させる。【選択図】図１
2008159316.tif 000002
【特許請求の範囲】
【請求項１】
リチウムイオンもしくはアニオンを可逆的に担持可能な正極電極がシート状正極用集電体上に形成された矩形シート状正極部と、リチウムイオンの吸蔵・放出が可能な負極電極がシート状負極用集電体上に形成された矩形シート状負極部が、間にセパレータを介在させながら交互に積層された積層電極体と、上記正極用集電体と上記負極用集電体にそれぞれ接続される外部端子とを備えたリチウムイオン吸蔵・放出型有機電解質蓄電池であって、
上記積層電極体に積層方向に抜ける貫通孔を形成し、この貫通孔に上記負極電極にリチウムイオンを予備吸蔵させるためのリチウム金属を装填するとともに、このリチウム金属を上記積層電極体の最外層に配置された導電体に導電接続し、この導電体を介して上記リチウム金属を蓄電池の内部あるいは外部にて負極電極に導電接続させるようにしたことを特徴とするリチウムイオン吸蔵・放出型有機電解質蓄電池。
【請求項２】
請求項１において、外部端子として正極端子および負極端子とは別に第３電極端子を備え、この第３電極端子が上記導電体に接続されていることを特徴とするリチウムイオン吸蔵・放出型有機電解質蓄電池。
【請求項３】
請求項２において、第３電極端子と正極端子間の電圧が所定以下となるような定電圧回路を備えたことを特徴とするリチウムイオン吸蔵・放出型有機電解質蓄電池。
【請求項４】
請求項１〜３のいずれかにおいて、上記貫通孔の内壁面と上記リチウム金属の間に透液性の絶縁層を介在させたことを特徴とするリチウムイオン吸蔵・放出型有機電解質蓄電池。
【発明の詳細な説明】
【技術分野】
【０００１】
本発明は、リチウムイオン吸蔵・放出型有機電解質蓄電池に関し、とくに、電解質アニオンの吸蔵・放出が可能な正極と電解質カチオンであるリチウムイオンの吸蔵・放出が可能な負極とが間にセパレータを介在させながら順次積層された積層構造の電極体を用いたものに関する。
【背景技術】
【０００２】
近年、たとえば風力発電や太陽電池等における負荷平準化、瞬低・停電対策、自動車等におけるエネルギー回生などのために、比較的大きな電気エネルギーの急速充放電が可能な蓄電手段が求められるようになってきた。
【０００３】
従来、蓄電手段としては、エネルギー密度が高く充電も可能なリチウムイオン二次電池が提供されている。しかし、そのリチウムイオン二次電池は、充放電の繰り返しによる特性の劣化が早く、充放電サイクル数（寿命）に制限があった。また、充電所要時間が長く、上記エネルギー回生などで要求されるような急速充電は無理であった。つまり、充放電特性に問題があった。これは、リチウムイオン二次電池に限らず、二次電池全般に共通する問題でもあった。
【０００４】
充放電特性だけに注目するならば、上記二次電池よりも、電気二重層キャパシタが適している。電気二重層キャパシタの充放電特性は、上記二次電池とは比較にならないほどすぐれており、また、長期間メンテナンスフリーで使用することができ、急速充放電も可能である。しかし、電気二重層キャパシタは、キャパシタとしては非常に大きな容量（静電容量）を持つことができるが、充放電可能な電気容量は上記リチウムイオン二次電池に比べて、かなり見劣りする。
【０００５】
そこで、電気二重層キャパシタとリチウムイオン二次電池を折衷させたような特質を有するリチウムイオン吸蔵・放出型有機電解質蓄電池が提案されている。この蓄電池は、アニオンの吸蔵・放出が可能な正極と、リチウムイオンの吸蔵・放出が可能な負極と、リチウム塩を含む電解液を用いて構成される（特許文献１，２参照）。
【０００６】
上記リチウムイオン二次電池では、正極にリチウムを含む複合酸化物（たとえばコバルト酸リチウム）を用い、電解液を介して行われる正極と負極間でのリチウムイオンのやりとりによって充放電の可逆プロセスが行われる。これに対して、上記リチウムイオン吸蔵・放出型有機電解質蓄電池は、正極での電解質アニオンの吸蔵・放出と負極でのリチウムイオン（電解質カチオン）の吸蔵・放出とによって充放電の可逆プロセスが行われる。
【０００７】
このリチウムイオン吸蔵・放出型有機電解質蓄電池は、上記リチウムイオン二次電池と上記電気二重層キャパシタがそれぞれに有する利点を兼ね備えたような性質を有する。すなわち、充放電サイクル特性は上記リチウムイオン二次電池よりも各段にすぐれ、充放電容量（充放電可能な電気容量）は上記電気二重層キャパシタよりも各段に大きい、といった利点がある。
【０００８】
このリチウムイオン吸蔵・放出型有機電解質蓄電池は、高性能のキャパシタ型二次電池として好適に使用できるのはもちろんであるが、メンテナンス負担が少なく急速充放電も可能であることから、たとえば風力発電における負荷平準化、瞬低・停電対策、自動車等におけるエネルギー回生などを行うめための蓄電手段としても好適に使用可能である。
【０００９】
上記リチウムイオン吸蔵・放出型有機電解質蓄電池は、リチウムイオンを含む電解液を使用する点などで従来のリチウムイオン二次電池と共通するが、リチウムイオン二次電池と違って、正極にリチウムイオンを供給するような物質（たとえばコバルト酸リチウム）は使わず、電解液中に電解質成分として存在するアニオンとリチウムイオン（カチオン）を使って充放電を行う。
【００１０】
正極は充電時に電解液中のアニオンを吸蔵し、放電時にそれを放出する。負極は充電時に電解液中のリチウムイオンを吸蔵し、放電時にそれを放出する。このアニオンとリチウムイオンの可逆的な吸蔵・放出により、充放電の可逆プロセスが行われるようになっている。
【００１１】
ここで、上記充放電の可逆プロセスが電解液のガス発生反応を起こすことなく効率的に行われるためには、充電初期（あるいは放電末期）から充電末期（あるいは放電初期）の全範囲にわたって、負極の電位がリチウム電位付近に安定に固定されている必要がある。このため、負極にあらかじめリチウムイオンを吸蔵（ドープ）させること、いわゆる予備吸蔵（プレ・ドープ）が行われる。この予備吸蔵は、電解液中にリチウム金属を配置するとともに、このリチウム金属を負極と導電接続させることにより行わせることができる。
【００１２】
上記リチウムイオン吸蔵・放出型有機電解質蓄電池の構造は種々提案されているが、電極体については、正極と負極の対向面積を大きく確保するために、正極と負極が間にセパレータを挟んで順次積層された積層構造が提案されている。
【００１３】
このため、正極と負極はそれぞれシート状に形成される。シート状の正極は、電解質アニオンの吸蔵・放出が可能な正極電極を金属箔等の集電体に塗布等の方法で添着することにより作製される。同様に、シート状の負極は、電解質カチオンであるリチウムイオンの吸蔵・放出が可能な負極電極を金属箔等の集電体に塗布等の方法で添着することにより作製される。負極の作製に際しては、集電体に負極電極を添着しない余白部に設け、そこに予備吸蔵用のリチウム金属箔を貼着することが行われていた（特許文献１，２参照）。
【特許文献１】特開２０００−２１３９２
【特許文献２】特開平９−１４７８３５
【発明の開示】
【発明が解決しようとする課題】
【００１４】
上述した従来のリチウムイオン吸蔵・放出型有機電解質蓄電池では、次のような問題のあることが本発明者らにより明らかとされた。
【００１５】
（１）予備吸蔵用のリチウム金属は、電極体を構成する前の負極シートの集電体にあらかじめ貼着することにより設置されていたが、これは生産性を著しく阻害する。リチウム金属は反応性が強く、その取り扱いには特別の注意を要する。とくに、箔状に薄く展開された状態のリチウム金属は反応しやすく、工程中に発火したりする恐れが大きい。このため、リチウム金属を設置した後の工程は、特別の防護対策が必要となって生産性を低下させる。したがって、負極用集電体にあらかじめリチウム金属を貼着した場合、その貼着のための工数増加に加えて、それ以降の電極体の組立てを含む一連の工程が大幅に複雑化し、生産性が阻害されてしまう。
【００１６】
（２）リチウム金属が電解液に溶解し、リチウムイオンとして負極全体に吸蔵されるまでに、長時間を要していた。これは、集電体に貼着されたリチウム金属が電極体の層間に閉じ込められてしまうためと考えられる。この状態で設置されたリチウム金属は、電解液への溶出および移動が必ずしも円滑でなく、負極への吸蔵に時間がかかるとともに、その吸蔵が均一に行われ難いことが判明した。
【００１７】
本発明は、以上のような問題を鑑みてなされたものであり、その目的は、リチウムイオンもしくはアニオンを可逆的に担持可能な正極電極がシート状正極用集電体上に形成された矩形シート状正極部と、リチウムイオンの吸蔵・放出が可能な負極電極がシート状負極用集電体上に形成された矩形シート状負極部が、間にセパレータを介在させながら交互に積層された積層電極体と、上記正極用集電体と上記負極用集電体にそれぞれ接続される外部端子とを備えたリチウムイオン吸蔵・放出型有機電解質蓄電池にあって、負極へのリチウムイオンの予備吸蔵を円滑かつ迅速に行わせることを可能にするとともに、生産工程にてリチウム金属を扱う頻度を低減させて生産性を高めることにある。
【００１８】
また、本発明は、充電中あるいは直列接続での充放電中に正極の電位が高くなり過ぎて電解液が分解されることによるガス発生についても、これを確実に抑制させることを可能にしたリチウムイオン吸蔵・放出型有機電解質蓄電池を提供することにある。
【００１９】
本発明の上記以外の目的および構成については、本明細書の記述および添付図面からあきらかになるであろう。
【課題を解決するための手段】
【００２０】
本発明が提供する解決手段は以下のとおりである。  
（１）リチウムイオンもしくはアニオンを可逆的に担持可能な正極電極がシート状正極用集電体上に形成された矩形シート状正極部と、リチウムイオンの吸蔵・放出が可能な負極電極がシート状負極用集電体上に形成された矩形シート状負極部が、間にセパレータを介在させながら交互に積層された積層電極体と、上記正極用集電体と上記負極用集電体にそれぞれ接続される外部端子とを備えたリチウムイオン吸蔵・放出型有機電解質蓄電池であって、
上記積層電極体に積層方向に抜ける貫通孔を形成し、この貫通孔に上記負極電極にリチウムイオンを予備吸蔵させるためのリチウム金属を装填するとともに、このリチウム金属を上記積層電極体の最外層に配置された導電体に導電接続し、この導電体を介して上記リチウム金属を蓄電池の内部あるいは外部にて負極電極に導電接続させるようにしたことを特徴とするリチウムイオン吸蔵・放出型有機電解質蓄電池。
【００２１】
（２）前記手段（１）において、外部端子として正極端子および負極端子とは別に第３電極端子を備え、この第３電極端子が上記導電体に接続されていることを特徴とするリチウムイオン吸蔵・放出型有機電解質蓄電池。  
（３）前記手段（２）において、第３電極端子と正極端子間の電圧が所定以下となるような定電圧回路を備えたことを特徴とするリチウムイオン吸蔵・放出型有機電解質蓄電池。  
（４）前記手段（１）〜（３）のいずれかにおいて、上記貫通孔の内壁面と上記リチウム金属の間に透液性の絶縁層を介在させたことを特徴とするリチウムイオン吸蔵・放出型有機電解質蓄電池。
【発明の効果】
【００２２】
リチウムイオンもしくはアニオンを可逆的に担持可能な正極電極がシート状正極用集電体上に形成された矩形シート状正極部と、リチウムイオンの吸蔵・放出が可能な負極電極がシート状負極用集電体上に形成された矩形シート状負極部が、間にセパレータを介在させながら交互に積層された積層電極体と、上記正極用集電体と上記負極用集電体にそれぞれ接続される外部端子とを備えたリチウムイオン吸蔵・放出型有機電解質蓄電池にあって、負極へのリチウムイオンの予備吸蔵を円滑かつ迅速に行わせることを可能にするとともに、生産工程にてリチウム金属を扱う頻度を低減させて生産性を高めることができる。
【００２３】
また、充電中あるいは直列接続での充放電中に正極の電位が高くなり過ぎて電解液が分解されることによるガス発生についても、これを確実に抑制させることが可能である。
【００２４】
上記以外の作用／効果については、本明細書の記述および添付図面からあきらかになるであろう。
【発明を実施するための最良の形態】
【００２５】
図１は、本発明によるリチウムイオン吸蔵・放出型有機電解質蓄電池の第１実施形態を示す。同図において、（ａ）は素子の主要部をなす積層電極体２０の断面図であり、（ｂ）はその一部の拡大断面図である。また、（ｃ）は上記積層電極体２０を電解液とともに素子容器１１に収容した状態を示す上面図である。電解液には有機媒体を用いた非水電解液が使用されている。
【００２６】
同図に示すリチウムイオン吸蔵・放出型有機電解質蓄電池は、正極部２１と負極部２３が間にセパレータ２２を挟みながら順次積層されて矩形平型の積層電極体２０を構成している。正極部２１は、リチウムイオンもしくはアニオンを可逆的に担持可能な炭素材料を用いた正極電極２１１が、金属箔（Ａｌ）からなるシート状集電体２１２の両面に塗布等により層状に添着されて、全体がシート状に形成されている。
【００２７】
同様に、負極部２３は、リチウムイオンの吸蔵・放出が可能な負極電極２３１が、金属箔（Ｃｕ）からなるシート状集電体２３２の両面に塗布等により層状に添着されて、全体がシート状に形成されている。正極部２１と負極部２３はセパレータ２２を挟みながら順次積層されて矩形平型の積層電極体２０を構成している。
【００２８】
正極部２１は充電時に電解液中のアニオンを吸蔵し、放電時にそれを放出する。負極部２３は充電時に電解液中のリチウムイオン（カチオン）を吸蔵し、放電時にそれを放出する。正極電極２１１および負極電極２３１の材料としては炭素材料とくに黒鉛が好適である。
【００２９】
集電体２１２，２３２は電解液に対して不活性の良導体であれば、その形態はとくに限定されず、たとえば金属ネットなども使用可能であるが、積層電極体２０の容積効率や集電効率などを考慮した場合、金属箔の使用が好ましい。材質については、正極用集電体２１２にアルミニウム（Ａｌ）を使用し、負極用集電体２３２に銅（Ｃｕ）を使用するとよい。
【００３０】
集電体２１２，２３２にはそれぞれ外部端子との接続をなすために、電極材が塗布されていない導電リード部２１３，２３３が、積層電極体２０の側方にはみ出すように設けられている。正極用集電体２１２の導電リード部２１３は互いに共通接続されて正極端子３１に溶接接続されている。同様に、負極用集電体２３２の導電リード部２３３は互いに共通接続されて負極端子３３に溶接接続されている。正極端子３１および負極端子３３はそれぞれ、素子容器１１の密閉状態を保ちながらその素子容器１１の内外に跨って設置されている。
【００３１】
素子容器１１は、電解液を含む蓄電池の構成要素を安定に密閉収容できるものであればとくに限定されないが、この実施形態では、ラミネートフィルム等の気密性軟包装材を融着等により矩形袋状に加工したソフト容器が使用されている。上記積層電極体２０は電解液とともに、このソフト容器に真空パック状態で包装および封入されている。
【００３２】
上記構成に加えて、この実施形態のリチウムイオン吸蔵・放出型有機電解質蓄電池では、積層電極体２０の積層方向に貫通孔５２が形成され、この貫通孔５２に予備吸蔵用のリチウム金属４１が挿入・装填されている。これとともに、上記積層電極体２０の最外層に金属箔を用いた導電体２５が配置され、この導電体２５にリチウム金属４１の一端部が貼着して導電接続している。導電体２５は、正極端子３１および負極端子３３とは別の外部引き出し端子である第３電極端子３５に接続されている。
【００３３】
第３電極端子３５は、正極端子３１および負極端子３３と同様、素子容器１１の密閉状態を保ちながらその素子容器１１の内外に跨って設置されている。この第３電極端子３５は負極端子３３と同じ側に設置され、ジャンパー導体６１によって負極端子３３と導電接続されるようになっている。
【００３４】
第３電極端子３５と負極端子３３を接続することにより、リチウム金属４１は電解液中にリチウムイオンとして溶解し、負極部２３に移動して吸蔵されるようになる。このとき、この実施形態のリチウムイオン吸蔵・放出型有機電解質蓄電池では、リチウム金属４１が電極体２０の積層方向に形成された貫通孔５２に装填されていて、その貫通孔５２の内壁面に現れる積層断面から各層の負極部２３へ同時並行的に移動して吸蔵される。さらに、リチウムイオンは、積層電極体２０の貫通孔５２から層面方向へ放射状に拡散することにより、各層の負極部２３の全体に最短距離で移動して吸蔵されることになる。
【００３５】
これにより、積層電極体２０内の各層の負極部２３にリチウムイオンを迅速かつ均一に予備吸蔵させることができ。したがって、従来は長時間を要していた予備吸蔵を、それよりも大幅に短い時間で円滑かつ均一に行わせることができる。
【００３６】
リチウム金属４１は積層電極体２０の貫通孔５２に挿されて装填されるが、この装填は積層電極体２０の作製工程後に行うことができる。したがって、少なくとも、積層電極体２０が完成するまでの生産工程では、反応性の強いリチウム金属を扱う必要がなく、これにより、生産工程にてリチウム金属を扱う頻度を低減させて生産性を高めることができる。
【００３７】
図２は、上記貫通孔５２を有する積層電極体２０の各層の構成を示す。  
上記積層電極体２０に貫通孔５２を形成する場合は、同図に示すように、その積層電極体２０の各層を形成する正極部２１、セパレータ２２、負極部２３にそれぞれ、互いに重なり合う穴５２１をあらかじめ設けておく。これらを順次積層して積層電極体２０を作製すると、それぞれの穴５２１は層方向に重なり、積層電極体２０の積層面に対して垂直な貫通孔５２を形成する。この貫通孔５２へのリチウム金属４１の挿入・装填は、積層電極体２０の完成後に簡単に行うことができる。
【００３８】
図３は本発明の第２実施形態の要部断面図を示す。この実施形態では、積層電極体２０の正極部２１が貫通孔５２の内壁面から後退するように構成されている。これにより、貫通孔５２に装填されたリチウム金属４１が正極部２１と接触するのを確実に回避させることができる。正極部２１が後退した個所には電解液が溜まるので、電解液の減損による電解液不足の予防にも効果がある。電解液の減損は長期間の使用で生じることがある。
【００３９】
図４は本発明の第３実施形態の要部断面図を示す。この実施形態では、貫通孔５２の内壁面とリチウム金属４１の間に透液性の絶縁層７１を介在させている。この絶縁層７１の材質としては、たとえば多孔質の樹脂あるいは不織布などが好適である。また、セパレータ２２と同じ素材を使用してもよい。
【００４０】
この実施形態では、貫通孔５２に装填されたリチウム金属４１が正極部２１と接触するのを確実に回避させることができるとともに、絶縁層７１に電解液が保液されることにより、リチウム金属４１の溶解およびリチウムイオンの移動が円滑化されて、負極部２３へのリチウムイオンの吸蔵を一層円滑かつ迅速に行わせることができる。
【００４１】
図５は本発明の第４実施形態の要部断面図を示す。この実施形態では、貫通孔５２に装填されたリチウム金属４１の一端側に導電体２５を配置するとともに、その他端側に透液性の絶縁体７２を載置している。
【００４２】
この実施形態は、前記素子容器１１（図１参照）として気密性軟包装材によるソフト容器を用いた場合にとくに有効である。すなわち、積層電極体２０はソフト容器に真空パック状態で収容されて圧迫されることにより、その積層形状を安定に保持させることができるが、このとき、貫通孔５２に装填されたリチウム金属４１は、上記絶縁体７２と導電体２５で両端から挟み込まれて安定に位置決めされ、また、導電体２５との接続安定性も高められる。この効果を確実に得るためには、図５に示すように、上記絶縁体７２が電極体２０の最外層よりも少しはみ出るように設置することが望ましい。
【００４３】
図６は本発明の第５実施形態の要部断面図を示す。同図において、（ａ）は素子の主要部をなす積層電極体２０を示す要部断面図であり、（ｂ）は積層電極体２０を電解液とともに素子容器１１に収容した状態を示す上面図である。
【００４４】
この実施形態では、積層電極体２０の複数個所（２箇所）に貫通孔５２を形成し、各貫通孔５２にそれぞれリチウム金属４１を装填している。これにより、リチウム金属４１から溶出したリチウムイオンは、積層電極体２０の内部の複数箇所からそれぞれ、積層電極体２０の層面方向に放射状に移動して各層の負極部２３に吸蔵されるようになる。このため、負極部２３へのリチウムイオンの吸蔵をさらに迅速かつ円滑に行わせることができる。
【００４５】
なお、リチウム金属４１と貫通孔５２の内壁面との間には、電解液を保液する絶縁層７１を介在させるなど、前記実施形態の構成を併用することが好ましい。
【００４６】
上述した本発明のリチウムイオン吸蔵・放出型有機電解質蓄電池は、外部端子として、正極端子３１および負極端子３３のほかに、リチウム金属４１に導電接続している第３電極端子３５を有する。この第３電極端子３５を使うことで、リチウムイオンの予備吸蔵時間を短縮化したり、リチウムイオン吸蔵・放出型有機電解質蓄電池の使用中にガス発生が生じるのを抑制したりすることが可能となる。
【００４７】
すなわち、図７に示すように、直流通電装置６３を用いて、第３電極端子３５にプラス、負極端子３３にマイナスを通電することにより、リチウム金属４１から負極へのリチウムの移動を速めて予備吸蔵時間を大幅に短縮させることができる。
【００４８】
また、図８に示すように、正極端子３１と第３電極端子３５の間に定電圧回路６５を接続し、両端子３１−３５間の電圧が所定電圧Ｖｓを超えたときだけシャント電流Ｉｓを通電させる並列電圧制御を行わせるようにすれば、正極の電位が高くなり過ぎることによる電解液の分解を防ぐことができる。これにより、充電中あるいは直列接続での充放電中に正極の電位が高くなり過ぎることにより生じるガス発生についても、これを確実に抑制させることができる。
【００４９】
この場合、リチウム金属４１は、負極への予備吸蔵に必要な量よりも多めに設置するとよい。定電圧回路６５は、電圧検出回路などの能動回路またはツェナーダイオード等の受動素子を用いて構成することができる。
【産業上の利用可能性】
【００５０】
リチウムイオンもしくはアニオンを可逆的に担持可能な正極電極がシート状正極用集電体上に形成された矩形シート状正極部と、リチウムイオンの吸蔵・放出が可能な負極電極がシート状負極用集電体上に形成された矩形シート状負極部が、間にセパレータを介在させながら交互に積層された積層電極体と、上記正極用集電体と上記負極用集電体にそれぞれ接続される外部端子とを備えたリチウムイオン吸蔵・放出型有機電解質蓄電池にあって、負極へのリチウムイオンの予備吸蔵を円滑かつ迅速に行わせることを可能にするとともに、生産工程にてリチウム金属を扱う頻度を低減させて生産性を高めることができる。
【００５１】
また、充電中あるいは直列接続での充放電中に正極の電位が高くなり過ぎて電解液が分解されることによるガス発生についても、これを確実に抑制させることが可能である。
【図面の簡単な説明】
【００５２】
【図１】本発明によるリチウムイオン吸蔵・放出型有機電解質蓄電池の第１実施形態を示す要部断面図および上面図である。
【図２】積層電極体の層を展開した平面図および積層状態を示す断面図である。
【図３】本発明によるリチウムイオン吸蔵・放出型有機電解質蓄電池の第２実施形態を示す要部断面図である。
【図４】本発明によるリチウムイオン吸蔵・放出型有機電解質蓄電池の第３実施形態を示す要部断面図である。
【図５】本発明によるリチウムイオン吸蔵・放出型有機電解質蓄電池の第４実施形態を示す要部断面図である。
【図６】本発明によるリチウムイオン吸蔵・放出型有機電解質蓄電池の第５実施形態を示す要部断面図および上面図である。
【図７】第３電極端子を用いて予備吸蔵を行う方法を模式的に示す上面図である。
【図８】第３電極端子を用いてガス発生を防止する構成を模式的に示す上面図である。
【符号の説明】
【００５３】
１１  素子容器
２０  積層電極体
２１  正極部
２１１  正極電極
２１２  集電体
２１３  導電リード部
２２  セパレータ
２３  負極部
２３１  負極電極
２３２  集電体
２３３  導電リード部
２５  導電体
３１  正極端子
３３  負極端子
３５  第３電極端子
４１  リチウム金属
５２  貫通孔
５２１  穴
６１  ジャンパー導体
６３  直流通電装置
６５  定電圧回路
７１  透液性の絶縁層
７２  透液性の絶縁体
【図１】
2008159316.tif 000003
【図２】
2008159316.tif 000004
【図３】
2008159316.tif 000005
【図４】
2008159316.tif 000006
【図５】
2008159316.tif 000007
【図６】
2008159316.tif 000008
【図７】
2008159316.tif 000009
【図８】
2008159316.tif 000010